(57)【特許請求の範囲】
【請求項１】
血液運搬ライン（４０）中の血液流量を測定する装置であって、
血液運搬ライン（４０）から分岐し、血液を血液運搬ラインから取り出す動脈ライン（１４）を有し、
血液運搬ライン（４０）中に開口し、血液を血液運搬ラインに送り込む静脈ライン（１５）を有し、
値ＹAの動脈ライン（１４）及び値ＹBの静脈ライン（１５）中の血液の物理化学的変数Ｙを測定する動脈測定手段（２０）及び静脈測定手段（２２）を有し、前記変数は、測定期間にわたり一定であり、
動脈測定手段（２０）及び静脈測定手段（２２）に連結された分析器ユニット（２７）を有し、分析器ユニットは、血液運搬ライン（４０）に出し入れされる物理学的変数Ｙから導き出される変数Ｘの正味の流量ｄＸ／ｄｔを、動脈ライン（１４）を通って取り出される流量ｄＸA／ｄｔと静脈ライン（１５）を通って送り込まれる流量ｄＸV／ｄｔの差として値ＹA及びＹVから求めるように構成されており、分析器ユニットは又、正味の流量ｄＸ／ｄｔを用いて血液流量ＱFを求めるように構成されている、装置。
【請求項２】
動脈ライン（１４）及び静脈ライン（１５）中の血液流量ＱBを検出すると共に（或いは）調整する手段（１８）が設けられている、請求項１記載の装置。
【請求項３】
血液流量ＱBを検出する手段は、分析器ユニット（２７）に接続された流量センサから成る、請求項２記載の装置。
【請求項４】
血液流量ＱBを検出する手段は、血液ポンプ（１６）の吐出量を設定するために用いられる制御ユニット（１８）から成り、前記制御ユニットは、動脈ライン（１４）及び（又は）静脈ライン（１５）中に設けられていて、分析器ユニット（２７）に接続されている、請求項３記載の装置。
【請求項５】
物理化学的変数Ｙは、血液の単位容積当たりの熱エネルギを表し、これから導き出された変数Ｘは、血液運搬ライン（４０）中の血液の熱エネルギＥを表している、請求項２〜４のうちいずれか一に記載の装置。
【請求項６】
動脈ライン（ＴA）及び静脈ライン（ＴV）中の測定手段（２０，２２）は、正味の熱エネルギ量ｄＥ／ｄｔを測定するための温度センサであり、分析器ユニット（２７）は、以下の方程式、即ち、
【数６】
0004480586.tif 000015
を用いることにより正味の熱エネルギ量を求めるのに適しており、上式において、ｃEは、比熱容量であり、ρBは、血液の密度である、請求項５記載の装置。
【請求項７】
物理化学的変数Ｙは、血液中の物質の濃度ｃであり、Ｘは、血液運搬ライン（４０）中のこの物質の量Ｃである、請求項２〜４のうちいずれか一に記載の装置。
【請求項８】
物質の正味の量ｄＣ／ｄｔを求めるために、動脈ライン（ｃA）及び静脈ライン（ｃV）中の測定手段（２０，２２）は、濃度センサであり、分析器ユニット（２７）は、次の方程式、即ち、
【数７】
0004480586.tif 000016
に基づいて物質の正味の量を求めるのに適している、請求項７記載の装置。
【請求項９】
動脈ライン（１４）は、静脈ライン（１５）から見て上流側で血液運搬ライン（４０）から分岐し、分析器ユニット（２７）は、次の方程式、即ち、
【数８】
0004480586.tif 000017
に基づいて血液流量ＱFを求めるのに適しており、上式において、ＹBは、動脈ライン（１４）中の分岐部（１２）から見て上流側における血液運搬ライン（４０）中の物理化学的変数である、請求項１〜８のうちいずれか一に記載の装置。
【請求項１０】
動脈ライン（１４）は、静脈ライン（１５）から見て下流側で血液運搬ライン（４０）から分岐し、正味の流量は、ｄＸrec／ｄｔとして表示され、静脈ライン中の物理化学的変数は、ＹV,recとして表され、分析器ユニット（２７）は、次の方程式、即ち、
【数９】
0004480586.tif 000018
を用いて血液流量ＱFを求めるのに適しており、上式において、ＹBは、動脈ライン（１４）中の分岐部（１２）から見て上流側における血液運搬ライン（４０）中の物理化学的変数である、請求項２〜８のうちいずれか一に記載の装置。
【請求項１１】
分析器ユニット（２７）は、血液運搬ライン（４０）からの動脈ライン（１４）中の分岐部が静脈ライン（１５）に対し上流側に位置している場合の正味の流量ｄＸ／ｄｔと、血液運搬ライン（４０）からの動脈ライン（１４）中の分岐部が静脈ライン（１５）に対し下流側に位置した状態の正味の流量ｄＸrec／ｄｔの両方を、同一の血液流量ＱBで求め、次にこれから、次の方程式、即ち、
【数１０】
0004480586.tif 000019
に従って血液流量ＱFを求めるのに適している、請求項２〜８のうちいずれか一に記載の装置。
【請求項１２】
動脈ライン（１４）及び静脈ライン（１５）は、血液処理装置の体外血液循環系（２）の一部である、請求項１〜１１のうちいずれか一に記載の装置。
【請求項１３】
血液処理装置は、血液透析装置である、請求項１２記載の装置。
【請求項１４】
測定されるべき血液流量ＱFは、患者の血管中、特に動静脈瘻又はシャント中の血液流量である、請求項１２又は１３記載の装置。
【請求項１５】
血液流量ＱFを表示するのに適したディスプレイユニット（２８）を有する、請求項１〜１４のうちいずれか一に記載の装置。
【発明の詳細な説明】
【技術分野】
【０００１】
本発明は、血液を運搬するライン中の血液流量を求める測定方法の分野に関する。
【背景技術】
【０００２】
腎不全患者では、血液透析治療は、機能不全状態の腎臓に代わる一可能性である。血液透析では、血液は、動脈血液ラインを通って患者から抜き取られ、血液処理要素内で浄化され、そして静脈血液ラインを通って患者に戻される。血液処理要素は、血液透析器として設計されたものであるのがよく、かかる血液透析器内では、血液は、半透膜によって互いに分離された２つのチャンバのうち第１のものを通り、他方、透析流体は、第２のチャンバを通って流れる。透析器内の圧力比を調節することにより流体を血液から取り出すことができる。
【０００３】
また、血液処理要素を血液フィルタとして設計することが可能である。この場合、流体は、半透膜を通る血液から取り出されるに過ぎないが、第２のチャンバを連続的に通る流体は存在しない。取り出される流体の量の大部分は、置換流体を投与することにより患者に戻される。
【０００４】
かかる処理方法では、治療中における血液の適度の浄化を達成するには約２００〜４５０ｍｌ／分の適当な血液の流量が必要であり、かかる治療は、数時間続き、１週間に約３回実施される。この理由で、透析に依存している患者には動脈と静脈との間に動静脈瘻（フィステル）又はシャントが設けられるのが通例である。適当な血液の流量は、この血管内で生じ、それと同時に、血管は、他の血管と比較して寸法が大きくなり、これは、針で穿刺するのに有利である。
【０００５】
かかる血管内での血液の流量は、経時的に変化する場合がある。特に、血管の漸次閉塞は、狭窄に起因して生じる場合がある。血液流量が体外循環において必要な血液流量を下回ると、治療の血液浄化能力が損なわれる。大抵の場合、血管狭窄は既に、例えば手術のような手技によってしか矯正できないような場合に進行している。したがって、間に合う初期の時点でかかる合併症が差し迫っていることを知ってこの合併症を無くすのに他の方法も利用できるようにすることが望ましい。
【０００６】
血管中の血液の流量を測定する多くの方法が提案された。例えば独立して用いられ又は体外血液循環系と併用される超音波ドップラーシステムのような方法（例えば、ヴァイツェル（Weitzel ）他著，「アメリカン・ジャーナル・オブ・キドニー・ディジージズ（Am. J. Kidney Dis.）」，第３８巻，ｐ．９３５，２００１年）では、追加の機器が必要であり、取扱いが複雑である。加うるに、測定は、特別に訓練された係員によって実施されなければならない。
【０００７】
別の公知の方法では、指示薬を一定の注入量で血管中に注入し、サンプルを下流側の血管から採取する（カイエ（Kaye）他著，「クリニカル・ネフロロジー（Clinical Nephrology ）」，第８巻，ｐ．５３３，１９７７年参照）。瘻中の流量は、希釈値の分析から演繹される。この方法では、追加の注入装置及びサンプル採取装置が必要であり、しかも指示薬の制御された使用が必要である。
【０００８】
他のシステムは、瘻中の流量を測定するために血液透析器械の体外血液循環を用いる。米国特許第５，８６６，０１５号明細書は、体外循環路中の血液流量を変化させ、体外循環路中の血液の温度の変化を測定して分析する方法を記載している。独国特許出願公開第１９９１７１９７号明細書も又、種々の血液流量を利用して体外循環路中の測定圧力のパターンを分析する技術を記載している。これら方法の一欠点は、互いに異なる血液流量を制御することが、複雑なプロセスであり、血液の処理に悪影響を及ぼすということにある。加うるに、独国特許出願公開第１９９１７１９７号明細書で提案された方法では、瘻中の流れを測定の一部にわたり中断させる必要がある。
【０００９】
欧州特許出願公開第７８１１６１号明細書の教示によれば、瘻への接近部を交換することに加えて、体外血液循環路の出口側端部のところの血液の物理的性質を変化させて識別可能な血液の特徴を生じさせることが必要である。次に、この変化の程度を希釈曲線の観点から分析する。この方法においても、追加の介入手技、例えば指示薬溶液の注入又は血液中の別の標的（目標とする）変化が必要である。分析においては、変化の経時的過程全体の検出が必要であり、これは、ボーラス型の変化で統合されなければならない。
例えば国際公開第ＷＯ０２／０５３２１２号パンフレット又は第ＷＯ９８／１７１９３号パンフレットに記載されているような他の方法も又、体外血液中の標的変化及びこの中の経時的な変化を検出することが必要である点において共通している。
【００１０】
心肺再循環の測定を説明することに加えて、米国特許第５，８３０，３６５号明細書は、再循環測定法を利用して瘻内流量を測定する一可能性を記載しており、血液の特性中のボーラス様変化も又、標的手法で引き起こされ、この場合、かかるボーラス様変化はこの再循環測定が行われるよう分析される。
米国特許第４，８９４，１６４号明細書は、体外血液処理中における患者の熱収支を測定すると共にこれに影響を与える方法及び装置を記載している。瘻内流量の測定は、行われない。
【発明の開示】
【発明が解決しようとする課題】
【００１１】
したがって、本発明の目的は、血液を運搬するライン中の血液流量を測定する方法及び装置を提供することにより、この方法を血液の性質に対して追加の標的（目標とする）影響、即ち、制御された影響を及ぼさないで使用できるようにすることにある。
【課題を解決するための手段】
【００１２】
本発明の教示によれば、この目的は、請求項１の特徴を有する方法及び請求項１０の特徴を有する装置によって達成される。本発明の有利な実施形態は、従属形式の請求項に記載されている。
【００１３】
本発明は、特に患者の血管中の血液流量を測定するために使用できる。本発明の使用法は、特に対応の血液ラインが体外血液処理の一部としてどこでも使用される場合にはいつでも推奨される。この場合、本発明の分析は、本質的にソフトウェアの仕様により既に手持ちのコンポーネントを用いることにより実現できる。
本発明は一般に、血液を運搬するラインが人体の外部に延びる場合（例えば、in-vitro用途をも含む）であってもかかるラインに使用できる。
【００１４】
本発明の追加の特徴及び利点は、添付の図面に示されるように本発明の装置の例示の実施形態に基づいて詳細に説明される。
【発明を実施するための最良の形態】
【００１５】
図１に示す本発明の装置の実施形態は、透析循環系１及び血液循環系２を有している。透析流体は、送出し装置１１により透析循環系１中で透析流体源７から透析流体入口ライン８、透析器３の透析流体チャンバ５及び透析流体出口ライン９を通って出口１０に運搬される。
【００１６】
血液は、動脈アクセス部１２を通って第１の場所で血液循環系２中の血液運搬ライン４０から取り出される。動脈温度センサ２０が接続されると共に血液ポンプ１６も又連結された動脈ライン１４が、このアクセス部に連結されている。動脈ライン１４は、透析器３の血液チャンバ６に通じている。このチャンバから、血液は、静脈ライン１５及び静脈アクセス部１３を経て第２の場所で血液運搬ライン４０に戻される。静脈温度センサ２２が、静脈ライン１５に接続されている。
血液チャンバ３と透析流体チャンバ５は、半透膜４によって分離されている。
【００１７】
この装置は、分析器ユニット２７を更に有し、この分析器ユニットは、測定ライン２３，２４を介してそれぞれの温度を検出する動脈センサ２０及び静脈センサ２２に接続されている。分析器ユニット２７は又、ライン１７を介して血液ポンプ１６をトリガする制御ユニット１８にライン３０によって接続されている。制御ユニット１８により血液ポンプ１６について吐出量を設定することができ、それと同時に、この吐出量は又、ライン３０により分析器ユニット２７に伝えられる。分析器ユニット２７は、ライン２９によりディスプレイ装置２８に接続され、従って測定データ及び対照データ並びに分析結果をこのディスプレイ装置上に表示できるようにする。
【００１８】
本発明は、ライン４０中のライン流量ＱFを測定することを目的として、例えば静脈ライン１５内の血液特性の特定の操作を行うことは不要であるという知見に基づいている。これとは異なり、血液の物理化学的量Ｙから導き出される変数Ｘの正味の流量ｄＸ／ｄｔを求めれば十分であり、この場合、この正味の流量は、動脈ライン１４でライン４０から取り出され、静脈ライン１５により送り込まれる血液の量を意味している。動脈流量ｄＸA／ｄｔと静脈流量ｄＸV／ｄｔの差から求められる正味の流量ｄＸ／ｄｔを、動脈ライン及び静脈ライン中の物理化学的性質Ｙの値ＹA，値ＹVの助けを借りて、測定時間中、十分な時定数性の場合に計算できる。次に、正味の流量ｄＸ／ｄｔを用いると、ライン流量ＱFを導くことができる。
【００１９】
この状況では、以下の方程式が、正味の流量ｄＸ／ｄｔに当て嵌まる。
【数１】
0004480586.tif 000002
上式において、ＱBは、動脈ライン又は静脈ライン中の血液流量である。
【００２０】
測定されるべき血液流量ＱF及び血液循環系２中の血液流量ＱBに関し、図２に詳細に示されているように、種々の場合が考えられる。図２（ａ）及び図２（ｂ）では、動脈ライン１４の分岐部１２は、静脈ライン１５の分岐部１３から見て上流側に位置している。図２（ａ）は、血液流量ＱBが測定されるべき血液流量ＱFよりも少ない場合に関する。この場合、動脈分岐部と静脈分岐部との間には流量ＱF−ＱBが残り、静脈ライン１５を介して動脈ライン１４に戻される血液の直接的な再循環はライン４０には生じない。この場合、本発明は、当初適用できない。
【００２１】
しかしながら血液流量ＱFを超える血液流量ＱBが規定される場合（図２（ｂ））、血液運搬ライン４０には再循環が存在する。この状況を、測定されるべき血液流量ＱFが或る特定の値の範囲内でのみ予想される場合には制御された仕方で生じさせることができる。この場合、この値の範囲よりもＱBだけ大きく、従って再循環が引き起こされるようになる。この場合、血液流量ＱBは以下のように２つの成分で構成されている。
【数２】
0004480586.tif 000003
第１の成分は、再循環部分に関し、第２の成分は、ライン４０に流入する部分に関する。再循環係数Ｒは、血液流量ＱB中の再循環流量の割合（百分率）を示している。
【００２２】
しかしながら、再循環成分は、正味の流量ｄＸ／ｄｔには何ら寄与しない。というのは、この成分は、血液運搬ライン４０に等しく加えられたりこれから取り出されるからである。第２の部分だけが、この正味の流量ｄＸ／ｄｔに寄与することができる。
【数３】
0004480586.tif 000004
上式において、ＹBは、第１の分岐部１２から見て上流側のライン４０中の物理化学的性質である。ＱFについて解を求めた後、方程式（３）は、次のようになる。
【数４】
0004480586.tif 000005
Ｙが血液の単位容積当たりの熱エネルギであり、Ｘが血液運搬ライン４０中の血液の熱エネルギＥであれば、方程式（４）は、次のようになる。
【数５】
0004480586.tif 000006
上式において、ＴA，ＴV，ＴBは、動脈ライン２０中の血液、静脈ライン２２中の血液、血液運搬ライン４０に流入する血液のそれぞれの温度を表している。血液の熱容量は、ｃEとして与えられ、血液の密度は、ρBとして与えられ、この場合、これらは全てのラインにおいて同一であると見なされる。
【００２３】
Ｙが物質の濃度ｃであり、Ｘが血液運搬ライン４０中のこの物質の量Ｃであれば、方程式（５ａ）は、対応の指数を持つ方程式（５ｂ）として書き換えられる。
【数６】
0004480586.tif 000007
本発明の方法を図１の実施形態により以下のように実施でき、この図１Ａは、透析器械としても知られている血液透析装置を示している。透析治療において数秒から数分の時間の間、ライン１４，１５，４０中の血液の温度は、十分に一定のままであると仮定できることが判明した。分析器装置２７は、測定時間中、動脈ライン１４中のセンサ２０，２２で測定された温度ＴA及び静脈ライン１５中の温度ＴVを記憶する。精度を上げるために、センサ２０，２２はそれぞれ分岐部１２，１３にできるだけ近接して配置される。動脈センサ２０から静脈センサ２２に特に透析器３を経由して血液の移動する距離に基づいて、驚くべきこととして、この応用の場合における温度ＴA，ＴVは、ほとんど常に、本来的に測定を可能にするほど十分互いに異なっていることが判明した。
【００２４】
血液流量ＱBは、制御ユニット１８により分析器ユニットに報告される。この血液流量値は、制御ユニット１８によって十分に高いものであるよう選択されており、従って図２（ｂ）の場合が生じることになる。
【００２５】
分析器ユニット２７が今や方程式（５ａ）の助けにより血液運搬ライン４０中の血液流量ＱFを測定できるようにするために、以下の追加の測定をこの実施形態において行い、即ち、温度ＴA，ＴVの測定の直前又は直後に、制御ユニットは、血液流量を、図２（ａ）に示す場合に関し、ＱB2＜ＱB1であるような値に設定する。透析に当たり、例えば、ＱB2＝１５０ｍｌ／分の値が適当であろう。分析器ユニット２７は、血液流量ＱB2について温度の値ＴAを検出する。これ又分析器ユニット２７によって記憶されるこの値は、方程式（５ａ）中の温度ＴBに対応している。かくして、方程式（５ａ）中の全ての変数が既知であり、分析器ユニット２７は、血液流量ＱFを求めることができる。次に、この値をディスプレイ装置２８上に表示するが、このようにするかどうかは任意である。
【００２６】
本発明の実施形態の別の変形例は、図２（ｃ）に示す状況に基づいている。この場合、動脈ライン１４は、静脈ライン１５から見て下流側で血液運搬ライン４０から分岐している。この構成は、図１の括弧に入れた状態で示されている。図１の装置の場合、これは、血液ポンプ１６の流れ方向を逆にすることにより容易に達成される。連結部１２，１３を交換することは等しく可能である。この点に関し、独国特許第１９５２８９０７号明細書の開示内容を明示的に参照されたい。なお、この独国特許明細書は、この場合に関し、シャント回路を開示している。この回路は、手動で又は制御ユニット１８により自動的にトリガできる。
【００２７】
方程式（２）との類推から、以下のことが、図２の場合に当て嵌まる。
【数７】
0004480586.tif 000008
この場合、以下のことも又当て嵌まる。
【数８】
0004480586.tif 000009
この場合も又、方程式（６）中の第２の非循環成分だけが、正味の流量ｄＸ／ｄｔに寄与し、これは、図２の場合に関し、ｄＸrec／ｄｔとして指示される。
【００２８】
方程式（３）はかくして、以下のように書き換えられる。
【数９】
0004480586.tif 000010
ＱFについて解を求める場合、方程式（８）は次のようになる。
【数１０】
0004480586.tif 000011
今や、図２の場合について用いられたやり方と類似したやり方でプロセスを進めることが可能である。測定変数ＹBも又、類似した仕方で測定でき、この場合、連結部は、図２（ａ）に示すように構成されなければならない。これは、血液ポンプ１６の出力の方向を逆にすることにより又は適当なシャント回路を用いることにより手動で実施でき、或いは、制御ユニット１８によって制御できる。方程式（５ａ），（５ｂ）に類似した関係は、以下のこと、即ち、温度Ｔ（これに更に比熱容量ＣE及び密度ρBを乗算するようになっている）及び（又は）濃度ｃを変数として方程式（９）中に挿入することにより導き出される。
【００２９】
本発明の実施形態の特に好ましい第３の変形例では、まず最初に、正味の流量ｄＸ／ｄｔに関し、図２（ａ）又は図２（ｂ）の構成例で第１の測定を実施する。次に、血液ポンプ１６の吐出方向を逆にすることにより又は対応のシャント回路を用いることにより、図２（ｃ）の構成例で正味の流量ｄＸrec／ｄｔの第２の測定を実施する。次に、方程式（８）を方程式（１）で除算すると、方程式（１０）が得られる。
【数１１】
0004480586.tif 000012
【００３０】
血液流量ＱBがｄＸ／ｄｔの測定に関して図２（ａ）の場合がうまくゆくほど低いものであるよう選択された場合、ＹA＝ＹBである。これを方程式（１０）中に挿入すると、この場合、これによって次式が得られる。
【数１２】
0004480586.tif 000013
この変形例において、分析器ユニット２７は方程式（１１ａ），（１１ｂ）に従って血液流量ＱFを計算し、このために、分析器ユニット２７は、上述の変形例の場合のように、最初に個々の測定値を記憶する。
【００３１】
今や、この場合も又、以下の変数、即ち、温度Ｔ（これに更に比熱容量ＣE及び密度ρBを乗算するようになっている）及び（又は）濃度ｃを方程式（１１）中に挿入することにより方程式（５ａ），（５ｂ）の関係に類似した関係が導き出される。ｄＸ／ｄｔ及びｄＸrec／ｄｔに関する測定を互いに異なる血液流量ＱB，ＱB,recで行なう場合、方程式（１１）をそれに応じて適合させることができる。
【００３２】
今や、方程式系（１１ａ），（１１ｂ）を或る条件下で一段と単純化できる。図１に示す装置の場合、血液は、透析器３の血液チャンバ６を通って流れ、そのプロセスの間、透析流体チャンバ５内の透析流体との質量交換及びエネルギ交換が行なわれる。２つの流体は、血液透析においては一般に行なわれているように、透析器を通って向流状態で流れ、透析流体の流量は一般に、血液流量よりも高く設定される。広く用いられている流量比及び用いられる専用の透析器並びに特に温度に応じて、血液チャンバ６の出口のところの血液が透析流体チャンバ５の入口のところの透析流体の温度をとる状況が生じる場合が多い。
【００３３】
この場合、透析流体吐出ライン８中の温度が大抵の場合数秒から数分間続く測定段階中一定に保たれる場合、静脈ライン１５中の血液の温度も又、一定のままである。動脈ライン１４中の血液の温度の小規模なばらつきは、何ら影響を及ぼさない。これは、方程式（１１ｂ）中の温度ＴV及びＴV,recが同一であることを意味している。（図１に示す実施形態の場合、透析の流れをｄＸrec／ｄｔの測定の場合、ここでは逆にしなければならない。これは、流れ条件が透析器３内で維持されるシャント回路を用いる場合には必要ではない。）かくして、最初の等号の後の第２の分数の分子と分母を同じ量だけ減少させる。これを方程式（１１ａ）中に挿入すると、次の方程式（１２）が得られる。
【数１３】
0004480586.tif 000014
方程式（１）に従って求めた正味の流量ｄＸ／ｄｔ及びｄＸrec／ｄｔは、血液運搬ライン４０中の血液流量を測定するためにこの場合特に容易に利用できる。これは常に基準ＹV＝ＹV,recを満たす場合である。本明細書において説明した実施形態は、動脈ライン１４中の血液流量が静脈ライン１５中の血液流量に等しいという仮定に基づいた上で得られる。
【００３４】
血液透析においては、流体を限外濾過により動脈及び（又は）静脈ラインから取り出す或る特定の場合においてはこの仮定から若干ずれる場合がある。しかしながら、方程式をこの状況に合うように改変することは、当業者の通常の創作能力の範囲内である。ラインのうちの一方の中の血液流量に加えて、限外濾過流量だけを追加の値として求めることが必要である。
【００３５】
同じことが、いわゆる心肺再循環の場合の患者の血管に対する測定の場合においても当て嵌まる。心肺再循環では、性質ＹVで静脈ライン１５からライン４０に送り出された血液は、動脈ライン１４に達し、ここで、他の身体領域内での十分な代謝又は温度の平衡を受けないで、患者の血流中へ直接再循環される。しかしながら、この成分は一般に、非常に小さい。
【００３６】
本発明により、動脈ライン及び静脈ラインが分岐する基になるライン中の血液流量を最小限の労力で測定することができる簡単な方法及びこの方法に用いられる装置が提供される。これら測定を、短期間で実施して付随する血液治療に対する影響（もしあっても）を最小限に抑えることができ又は無視できるようにすることができる。指示薬の標的追加は、不要である。
【図面の簡単な説明】
【００３７】
【図１】本発明の装置の実施形態の略図である。
【図２】（ａ）〜（ｃ）は、流量ＱFが測定される血液運搬ライン中の血液の流量の場合の種々の構成例を示す図である。
【図１】
0004480586.tif 000020
【図２】
0004480586.tif 000021